(57)【要約】      （修正有）【課題】収納ケース本体に対するハンドルの着脱を容易にする。【解決手段】ハンドル４０を取り付けるための略円形状のハンドル取り付け穴を収納ケース本体１の側面に形成し、ハンドル４０が取り付けられた時に、ハンドル取り付け穴の外側に露出せしめられる帯状部と、ハンドル取り付け穴の内側に残されてハンドル取り付け穴の縁部と係合するフック部とをハンドル４０の端部に設けた収納ケースにおいて、ハンドル取り付け穴の縁部からハンドル取り付け穴の径方向に延びているハンドル着脱孔を形成し、ハンドル着脱孔の長さＬとハンドル取り付け穴の直径Ｄとの合計寸法を、帯状部の幅Ｗ１とフック部の幅との合計寸法よりも大きくした。【選択図】図１
0003112139.tif 000002
【実用新案登録請求の範囲】
【請求項１】
収納ケース本体と、前記収納ケース本体を持ち運ぶための帯状ハンドルとを具備し、前記収納ケース本体に対して前記ハンドルを取り付けるための略円形状のハンドル取り付け穴を前記収納ケース本体の側面に形成し、前記ハンドルが前記収納ケース本体に取り付けられた時に前記ハンドル取り付け穴の外側に露出せしめられる帯状部と、前記ハンドルが前記収納ケース本体に取り付けられた時に前記ハンドル取り付け穴の内側に残されて前記ハンドル取り付け穴の縁部と係合するフック部とを前記ハンドルの端部に設けた収納ケースにおいて、前記ハンドル取り付け穴の縁部から前記ハンドル取り付け穴の径方向に延びているハンドル着脱孔を形成し、前記ハンドル着脱孔の長さと前記ハンドル取り付け穴の直径との合計寸法が、前記帯状部の幅と前記フック部の幅との合計寸法よりも大きいことを特徴とする収納ケース。
【請求項２】
前記ハンドルの端部を略円形状に形成したことを特徴とする請求項１に記載の収納ケース。
【請求項３】
１枚のシート材を折り曲げることによって前記収納ケース本体の底面と、前側面と、後側面と、左側面と、右側面とを形成し、前記前側面の左側に延びている前側面左側部分を折り曲げて前記左側面の内側に配置すると共に、前記前側面の右側に延びている前側面右側部分を折り曲げて前記右側面の内側に配置し、前記左側面の上側に延びている左側面上側部分を前記左側面の内側に折り曲げて前記前側面左側部分を狭持すると共に、前記右側面の上側に延びている右側面上側部分を前記右側面の内側に折り曲げて前記前側面右側部分を狭持し、前記左側面と前記左側面上側部分との境界部分に第１孔を形成すると共に、前記右側面と前記右側面上側部分との境界部分に第２孔を形成し、前記底面と前記前側面との境界線を中心に前記前側面が外側に所定角度回動せしめられると前記第１孔の端部と係合せしめられる第１突起を前記前側面左側部分に形成すると共に、前記底面と前記前側面との境界線を中心に前記前側面が外側に前記所定角度回動せしめられると前記第２孔の端部と係合せしめられる第２突起を前記前側面右側部分に形成し、ハンドル取り付け穴を前記左側面と前記右側面とにそれぞれ形成し、前記前側面左側部分のうち、前記左側面のハンドル取り付け穴に隣接する部分に第１切り欠き部を形成し、前記前側面右側部分のうち、前記右側面のハンドル取り付け穴に隣接する部分に第２切り欠き部を形成したことを特徴とする請求項１又は２に記載の収納ケース。
【請求項４】
前記左側面上側部分の自由端および前記右側面上側部分の自由端を押さえつけるための固定部材を設け、前記固定部材の幅寸法を前記底面の幅寸法より小さく設定したことを特徴とする請求項３に記載の収納ケース。
【請求項５】
前記後側面の左側に延びている後側面左側部分を折り曲げて前記左側面の内側に配置すると共に、前記後側面の右側に延びている後側面右側部分を折り曲げて前記右側面の内側に配置し、前記左側面上側部分によって前記後側面左側部分を狭持すると共に、前記右側面上側部分によって前記後側面右側部分を狭持し、前記左側面と前記左側面上側部分との境界部分に第３孔を形成すると共に、前記右側面と前記右側面上側部分との境界部分に第４孔を形成し、前記底面と前記後側面との境界線を中心に前記後側面が外側に予め定められた角度回動せしめられると前記第３孔の端部と係合せしめられる第３突起を前記後側面左側部分に形成すると共に、前記底面と前記後側面との境界線を中心に前記後側面が外側に前記予め定められた角度回動せしめられると前記第４孔の端部と係合せしめられる第４突起を前記後側面右側部分に形成し、前記後側面左側部分のうち、前記左側面のハンドル取り付け穴に隣接する部分に第３切り欠き部を形成し、前記後側面右側部分のうち、前記右側面のハンドル取り付け穴に隣接する部分に第４切り欠き部を形成したことを特徴とする請求項３又は４に記載の収納ケース。
【請求項６】
前記固定部材が前記収納ケース本体とは別個の１枚のシート材を折り曲げることによって構成され、前記固定部材が、固定部材底面と、前記固定部材底面から下方に延びている固定部材左側面および固定部材右側面と、前記固定部材底面から上方に延びている固定部材前側面および固定部材後側面とを具備することを特徴とする請求項５に記載の収納ケース。
【請求項７】
複数の光情報記録媒体を立てた状態で前記収納ケース本体内に収納することを特徴とする請求項１〜６のいずれか一項に記載の光情報記録媒体用収納ケース。
【考案の詳細な説明】
【技術分野】
【０００１】
本考案は、収納ケース本体と、収納ケース本体を持ち運ぶための帯状ハンドルとを具備し、収納ケース本体に対してハンドルを取り付けるための略円形状のハンドル取り付け穴を収納ケース本体の側面に形成し、ハンドルが収納ケース本体に取り付けられた時にハンドル取り付け穴の外側に露出せしめられる部分と、ハンドルが収納ケース本体に取り付けられた時にハンドル取り付け穴の内側に残されてハンドル取り付け穴の縁部と係合する部分とをハンドルの端部に設けた収納ケースに関する。特には、本考案は、収納ケース本体に対してハンドルを容易に着脱することができる収納ケースに関する。
【背景技術】
【０００２】
従来から、カートン（収納ケース本体）と、カートン（収納ケース本体）を持ち運ぶためのハンドルとを具備し、カートン（収納ケース本体）に対してハンドルを取り付けるための略円形状のハンドル挿入孔（ハンドル取り付け穴）をカートン（収納ケース本体）の側面に形成し、ハンドルがカートン（収納ケース本体）に取り付けられた時にハンドル挿入孔（ハンドル取り付け穴）の外側に露出せしめられる部分と、ハンドルがカートン（収納ケース本体）に取り付けられた時にハンドル挿入孔（ハンドル取り付け穴）の内側に残されてハンドル挿入孔（ハンドル取り付け穴）のリップ（縁部）と係合する返し部分とをハンドルの返しヘッド（端部）に設けたパッケージ（収納ケース）が知られている。この種のパッケージ（収納ケース）の例としては、例えば特表平６−５０８８０５号公報に記載されたものがある。
【０００３】
特表平６−５０８８０５号公報に記載されたパッケージ（収納ケース）では、カートン（収納ケース本体）に対してハンドルが取り付けられる時に、まず、ハンドルの返しヘッド（端部）が、刻み目線で折り曲げられ、ハンドル挿入孔（ハンドル取り付け穴）に挿入される。次いで、ハンドルが引き上げられる。つまり、ハンドルの他方の端部側にハンドルが引張られる。それにより、ハンドルの返しヘッド（端部）の返し部分（フック部）がハンドル挿入孔（ハンドル取り付け穴）のリップ（縁部）と係合し、ハンドルの一方の返しヘッド（端部）の取り付けが完了する。
【０００４】
特表平６−５０８８０５号公報に記載されたパッケージ（収納ケース）では、次いで、上述した方法と同様の方法により、ハンドルの他方の返しヘッド（端部）の取り付けが行われる。ハンドルの他方の返しヘッド（端部）の取り付けが完了すると、カートン（収納ケース本体）がハンドルによって持ち運び可能になる。
【０００５】
ところが、特表平６−５０８８０５号公報に記載されたパッケージ（収納ケース）では、ハンドル挿入孔（ハンドル取り付け穴）の直径が、ハンドルの返しヘッド（端部）の幅よりも小さく設定されているため、上述したように、刻み目線で折り曲げないとハンドルの返しヘッド（端部）をハンドル挿入孔（ハンドル取り付け穴）に挿入することができない。更に、特表平６−５０８８０５号公報に記載されたパッケージ（収納ケース）では、一旦、ハンドルの返しヘッド（端部）がハンドル挿入孔（ハンドル取り付け穴）に挿入されると、ハンドル挿入孔（ハンドル取り付け穴）からハンドルの返しヘッド（端部）を容易に取り外すことができない。つまり、特表平６−５０８８０５号公報に記載されたパッケージ（収納ケース）では、ハンドル挿入孔（ハンドル取り付け穴）に対してハンドルの返しヘッド（端部）を容易に着脱することができない。
【０００６】
また、従来から、１枚のシート材を折り曲げることによって底面と、前パネル（前側面）と、後パネル（後側面）と、左外側パネル（左側面）と、右外側パネル（右側面）とを形成した箱（収納ケース本体）が知られている。この種の箱（収納ケース本体）の例としては、例えば特開２００２−１９７７７号公報に記載されたものがある。
【０００７】
特開２００２−１９７７７号公報に記載された箱（収納ケース本体）では、前パネル（前側面）の左側に延びている左側フラップ（前側面左側部分）が折り曲げられて左外側パネル（左側面）の内側に配置されると共に、前パネル（前側面）の右側に延びている右側フラップ（前側面右側部分）が折り曲げられて右外側パネル（右側面）の内側に配置されている。また、左外側パネル（左側面）の上側に延びている左内側パネル（左側面上側部分）が左外側パネル（左側面）の内側に折り曲げられて、左側フラップ（前側面左側部分）が狭持されると共に、右外側パネル（右側面）の上側に延びている右内側パネル（右側面上側部分）が右外側パネル（右側面）の内側に折り曲げられて、右側フラップ（前側面右側部分）が狭持されている。
【０００８】
更に、特開２００２−１９７７７号公報に記載された箱（収納ケース本体）では、左外側パネル（左側面）と左内側パネル（左側面上側部分）との境界部分に左側スロット（第１孔）が形成されると共に、右外側パネル（右側面）と右内側パネル（右側面上側部分）との境界部分に右側スロット（第２孔）が形成されている。また、底面と前パネル（前側面）との境界線を中心に前パネル（前側面）が外側に回動せしめられると左側スロット（第１孔）の端部と係合せしめられる左ストッパ（第１突起）が左側フラップ（前側面左側部分）に形成されると共に、底面と前パネル（前側面）との境界線を中心に前パネル（前側面）が外側に回動せしめられると右側スロット（第２孔）の端部と係合せしめられる右ストッパ（第２突起）が右側フラップ（前側面右側部分）に形成されている。
【０００９】
また、特開２００２−１９７７７号公報に記載された箱（収納ケース本体）では、左内側パネル（左側面上側部分）の自由端を押さえつけるための底パネル（固定部材）が、右内側パネル（右側面上側部分）の自由端に接続して設けられている。
【００１０】
ところが、特開２００２−１９７７７号公報に記載された箱（収納ケース本体）では、底パネル（固定部材）の幅寸法が底面の幅寸法とが同一に設定されている。そのため、左内側パネル（左側面上側部分）の自由端が左外側パネル（左側面）側に過剰に強く押さえつけられて、左側フラップ（前側面左側部分）が左内側パネル（左側面上側部分）と左外側パネル（左側面）とによって過剰に強く狭持され、また、右内側パネル（右側面上側部分）の自由端が右外側パネル（右側面）側に過剰に強く押さえつけられて、右側フラップ（前側面右側部分）が右内側パネル（右側面上側部分）と右外側パネル（右側面）とによって過剰に強く狭持されてしまい、それにより、前パネル（前側面）が外側に回動しづらくなってしまうおそれがある。
【００１１】
【特許文献１】特表平６−５０８８０５号公報
【特許文献２】特開２００２−１９７７７号公報
【考案の開示】
【考案が解決しようとする課題】
【００１２】
前記問題点に鑑み、本考案は、収納ケース本体に対してハンドルを容易に着脱することができる収納ケースを提供することを目的とする。
【００１３】
更に、本考案は、収納ケース本体の前側面が外側に回動しづらくなってしまうおそれを低減することができる収納ケースを提供することを目的とする。
【課題を解決するための手段】
【００１４】
請求項１に記載の考案によれば、収納ケース本体と、前記収納ケース本体を持ち運ぶための帯状ハンドルとを具備し、前記収納ケース本体に対して前記ハンドルを取り付けるための略円形状のハンドル取り付け穴を前記収納ケース本体の側面に形成し、前記ハンドルが前記収納ケース本体に取り付けられた時に前記ハンドル取り付け穴の外側に露出せしめられる帯状部と、前記ハンドルが前記収納ケース本体に取り付けられた時に前記ハンドル取り付け穴の内側に残されて前記ハンドル取り付け穴の縁部と係合するフック部とを前記ハンドルの端部に設けた収納ケースにおいて、前記ハンドル取り付け穴の縁部から前記ハンドル取り付け穴の径方向に延びているハンドル着脱孔を形成し、前記ハンドル着脱孔の長さと前記ハンドル取り付け穴の直径との合計寸法が、前記帯状部の幅と前記フック部の幅との合計寸法よりも大きいことを特徴とする収納ケースが提供される。
【００１５】
請求項２に記載の考案によれば、前記ハンドルの端部を略円形状に形成したことを特徴とする請求項１に記載の収納ケースが提供される。
【００１６】
請求項３に記載の考案によれば、１枚のシート材を折り曲げることによって前記収納ケース本体の底面と、前側面と、後側面と、左側面と、右側面とを形成し、前記前側面の左側に延びている前側面左側部分を折り曲げて前記左側面の内側に配置すると共に、前記前側面の右側に延びている前側面右側部分を折り曲げて前記右側面の内側に配置し、前記左側面の上側に延びている左側面上側部分を前記左側面の内側に折り曲げて前記前側面左側部分を狭持すると共に、前記右側面の上側に延びている右側面上側部分を前記右側面の内側に折り曲げて前記前側面右側部分を狭持し、前記左側面と前記左側面上側部分との境界部分に第１孔を形成すると共に、前記右側面と前記右側面上側部分との境界部分に第２孔を形成し、前記底面と前記前側面との境界線を中心に前記前側面が外側に所定角度回動せしめられると前記第１孔の端部と係合せしめられる第１突起を前記前側面左側部分に形成すると共に、前記底面と前記前側面との境界線を中心に前記前側面が外側に前記所定角度回動せしめられると前記第２孔の端部と係合せしめられる第２突起を前記前側面右側部分に形成し、ハンドル取り付け穴を前記左側面と前記右側面とにそれぞれ形成し、前記前側面左側部分のうち、前記左側面のハンドル取り付け穴に隣接する部分に第１切り欠き部を形成し、前記前側面右側部分のうち、前記右側面のハンドル取り付け穴に隣接する部分に第２切り欠き部を形成したことを特徴とする請求項１又は２に記載の収納ケースが提供される。
【００１７】
請求項４に記載の考案によれば、前記左側面上側部分の自由端および前記右側面上側部分の自由端を押さえつけるための固定部材を設け、前記固定部材の幅寸法を前記底面の幅寸法より小さく設定したことを特徴とする請求項３に記載の収納ケースが提供される。
【００１８】
請求項５に記載の考案によれば、前記後側面の左側に延びている後側面左側部分を折り曲げて前記左側面の内側に配置すると共に、前記後側面の右側に延びている後側面右側部分を折り曲げて前記右側面の内側に配置し、前記左側面上側部分によって前記後側面左側部分を狭持すると共に、前記右側面上側部分によって前記後側面右側部分を狭持し、前記左側面と前記左側面上側部分との境界部分に第３孔を形成すると共に、前記右側面と前記右側面上側部分との境界部分に第４孔を形成し、前記底面と前記後側面との境界線を中心に前記後側面が外側に予め定められた角度回動せしめられると前記第３孔の端部と係合せしめられる第３突起を前記後側面左側部分に形成すると共に、前記底面と前記後側面との境界線を中心に前記後側面が外側に前記予め定められた角度回動せしめられると前記第４孔の端部と係合せしめられる第４突起を前記後側面右側部分に形成し、前記後側面左側部分のうち、前記左側面のハンドル取り付け穴に隣接する部分に第３切り欠き部を形成し、前記後側面右側部分のうち、前記右側面のハンドル取り付け穴に隣接する部分に第４切り欠き部を形成したことを特徴とする請求項３又は４に記載の収納ケースが提供される。
【００１９】
請求項６に記載の考案によれば、前記固定部材が前記収納ケース本体とは別個の１枚のシート材を折り曲げることによって構成され、前記固定部材が、固定部材底面と、前記固定部材底面から下方に延びている固定部材左側面および固定部材右側面と、前記固定部材底面から上方に延びている固定部材前側面および固定部材後側面とを具備することを特徴とする請求項５に記載の収納ケースが提供される。
【００２０】
請求項７に記載の考案によれば、複数の光情報記録媒体を立てた状態で前記収納ケース本体内に収納することを特徴とする請求項１〜６のいずれか一項に記載の光情報記録媒体用収納ケースが提供される。
【考案の効果】
【００２１】
請求項１に記載の収納ケースでは、ハンドル取り付け穴の縁部からハンドル取り付け穴の径方向に延びているハンドル着脱孔が形成され、ハンドル着脱孔の長さとハンドル取り付け穴の直径との合計寸法が、ハンドルの端部の帯状部の幅とフック部の幅との合計寸法よりも大きくされている。
【００２２】
具体的には、請求項１に記載の収納ケースでは、収納ケース本体に対してハンドルが取り付けられる時に、ハンドルの端部の帯状部およびフック部が、ハンドル取り付け穴およびハンドル取り付け穴の縁部から延びているハンドル着脱孔を通される。上述したように、ハンドル着脱孔の長さとハンドル取り付け穴の直径との合計寸法が、ハンドルの端部の帯状部の幅とフック部の幅との合計寸法よりも大きくされているため、ハンドルの端部の帯状部およびフック部は、折り曲げられる必要なく、ハンドル取り付け穴およびハンドル着脱孔を通過することができる。詳細には、ハンドルの端部のフック部が完全にハンドル取り付け穴およびハンドル着脱孔の内側に位置するまで、ハンドルの端部がハンドル取り付け穴およびハンドル着脱孔内に奥深く挿入される。
【００２３】
次いで、ハンドルの端部の帯状部がハンドル取り付け穴の縁部内に位置するようにハンドルの端部がハンドル着脱孔の長手方向にスライドせしめられる。次いで、ハンドルの端部の帯状部の幅方向がハンドル着脱孔の長手方向に対してほぼ垂直になるようにハンドルの向きが変えられる。次いで、ハンドルの端部のフック部がハンドル取り付け穴の縁部と係合するまで、ハンドルの他方の端部側にハンドルが引張られる。ハンドルの端部のフック部がハンドル取り付け穴の縁部と係合すると、ハンドルの一方の端部の取り付けが完了する。
【００２４】
次いで、上述した方法と同様の方法により、ハンドルの他方の端部の取り付けが行われる。ハンドルの他方の端部の取り付けが完了すると、収納ケース本体がハンドルによって持ち運び可能になる。
【００２５】
一方、収納ケース本体からハンドルが取り外される時には、ハンドルの端部のフック部とハンドル取り付け穴の縁部との係合が解除されるまで、ハンドルの端部がハンドル取り付け穴内に奥深く挿入される。次いで、ハンドルの端部の帯状部の幅方向がハンドル着脱孔の長手方向に一致するようにハンドルの向きが変えられる。次いで、ハンドルの端部の帯状部がハンドル取り付け穴およびハンドル着脱孔のほぼ中央に位置するようにハンドルの端部がハンドル着脱孔の長手方向にスライドせしめられる。
【００２６】
上述したように、ハンドル着脱孔の長さとハンドル取り付け穴の直径との合計寸法が、ハンドルの端部の帯状部の幅とフック部の幅との合計寸法よりも大きくされているため、ハンドルの端部の帯状部がハンドル取り付け穴およびハンドル着脱孔のほぼ中央に位置するようにハンドルの端部がハンドル着脱孔の長手方向にスライドせしめられることにより、ハンドルの端部の帯状部およびフック部は、ハンドル取り付け穴およびハンドル着脱孔を通過できる位置に位置している。
【００２７】
次いで、ハンドルの他方の端部側にハンドルが引張られると、ハンドルの端部の帯状部およびフック部がハンドル取り付け穴およびハンドル着脱孔を通過して引張り出され、ハンドルの一方の端部の取り外しが完了する。
【００２８】
次いで、上述した方法と同様の方法により、ハンドルの他方の端部の取り外しが行われる。ハンドルの他方の端部の取り外しが完了すると、収納ケース本体とハンドルとが完全に分離された状態になる。
【００２９】
上述したように、請求項１に記載の収納ケースでは、特表平６−５０８８０５号公報に記載された場合のようにハンドルの端部を折り曲げる必要なく、ハンドルの端部をハンドル取り付け穴に取り付けることができる。更に、特表平６−５０８８０５号公報に記載された場合よりも極めて簡単な方法により、ハンドル取り付け穴からハンドルの端部を取り外すことができる。すなわち、特表平６−５０８８０５号公報に記載された場合よりも容易に収納ケース本体に対してハンドルを着脱することができる。従って、使用者は、収納ケース本体に対してハンドルが取り付けられた状態においても、あるいは、収納ケース本体からハンドルが取り外された状態においても、収納ケースを使用することができ、収納ケースの使用態様を適宜選択することができる。つまり、請求項１に記載の収納ケースでは、使用態様の選択の幅が広げられている。
【００３０】
請求項２に記載の収納ケースでは、ハンドルの端部が略円形状に形成されている。そのため、ハンドルの端部が収納ケース本体に取り付けられる時のハンドルの端部の引っ掛かりを低減しつつ、ハンドルの端部が収納ケース本体から取り外される時のハンドルの端部の引っ掛かりを低減することができる。
【００３１】
請求項３に記載の収納ケースでは、前側面左側部分のうち、左側面のハンドル取り付け穴に隣接する部分に第１切り欠き部が形成され、前側面右側部分のうち、右側面のハンドル取り付け穴に隣接する部分に第２切り欠き部が形成されている。そのため、左側面のハンドル取り付け穴に対してハンドルの端部が着脱される時に前側面左側部分がハンドルの端部と干渉してしまうのを回避することができ、右側面のハンドル取り付け穴に対してハンドルの端部が着脱される時に前側面右側部分がハンドルの端部と干渉してしまうのを回避することができる。
【００３２】
上述したように、特開２００２−１９７７７号公報に記載された箱（収納ケース本体）では、前パネル（前側面）が外側に回動しづらくなってしまうおそれがある点に鑑み、請求項４に記載の収納ケースでは、固定部材の幅寸法が底面の幅寸法より小さく設定されている。好ましくは、左側面上側部分、前側面左側部分、右側面上側部分、および前側面右側部分の厚さ分だけ固定部材の幅寸法が底面の幅寸法より小さく設定されている。そのため、前側面が外側に回動しづらくなってしまうおそれを低減することができる。
【００３３】
請求項５に記載の収納ケースでは、後側面左側部分のうち、左側面のハンドル取り付け穴に隣接する部分に第３切り欠き部が形成され、後側面右側部分のうち、右側面のハンドル取り付け穴に隣接する部分に第４切り欠き部が形成されている。そのため、左側面のハンドル取り付け穴に対してハンドルの端部が着脱される時に後側面左側部分がハンドルの端部と干渉してしまうのを回避することができ、右側面のハンドル取り付け穴に対してハンドルの端部が着脱される時に後側面右側部分がハンドルの端部と干渉してしまうのを回避することができる。
【００３４】
請求項６に記載の収納ケースでは、左側面上側部分の自由端および右側面上側部分の自由端を押さえつけるための固定部材が、収納ケース本体とは別個の１枚のシート材を折り曲げることによって構成され、その固定部材に、固定部材底面と、固定部材底面から下方に延びている固定部材左側面および固定部材右側面と、固定部材底面から上方に延びている固定部材前側面および固定部材後側面とが設けられている。そのため、収納ケース本体の前側面および後側面が外側に回動しづらくなってしまうおそれを低減しつつ、例えば高さ寸法の小さい内容物を底上げして収納ケース本体内に収納することができる。
【００３５】
請求項７に記載の光情報記録媒体用収納ケースでは、収納ケース本体に対してハンドルを容易に着脱することができ、また、収納ケースの製造段階から作成が容易である上、光情報記録媒体を収納することが容易で梱包性に優れている。そして、収納ケースの販売後には、光情報記録媒体の収納ケースとしてハンドルを使って持ち運びができ又はハンドルを取り外して収納ケースとして利用でき、使用の幅が広い。更に収納ケースの使用時には、収納ケース本体の前側面および後側面のいずれか一方または両方を外側に回動させることにより、収納ケース本体内に収納されている複数の光情報記録媒体の間に隙間ができるので、その隙間を利用して光情報記録媒体を傾かせ、光情報記録媒体の表面の表示を読み取ることができる。つまり、光情報記録媒体の検索を簡単に行うことができる。
【考案を実施するための最良の形態】
【００３６】
以下、本考案の収納ケースの第１の実施形態について説明する。第１の実施形態の収納ケースは、複数の光情報記録媒体（例えばＣＤ系、ＤＶＤ系などのような光記録ディスク）を立てた状態で収納するために用いることができる。詳細には、第１の実施形態の収納ケースは、例えば複数の光情報記録媒体の製造時、販売時、流通時などに梱包に使用することができるだけではなく、その後に、複数の光情報記録媒体の収納箱として使用することができる。
【００３７】
第１の実施形態の収納ケースを説明する前に、従来の光情報記録媒体の販売形態などについて説明する。従来のベアー状態で取り扱われる光情報記録媒体の販売形態では、光情報記録媒体が、例えば１０ｍｍ、８ｍｍ、５ｍｍ、４ｍｍの厚さのプラスチック製ジュエルケースに収納され、複数のジュエルケースが例えばフィルムラップ、化粧箱などによってパック梱包されて販売されている。あるいは、他の販売形態では、ジュエルケースが用いられず、複数の光情報記録媒体がプラスチック製スピンドル（バルク）ケースに収納梱包されたり、あるいは、光情報記録媒体が不織布スリーブ用のプラスチック製スリムケースに収納梱包されて、販売されている。これらの梱包形態は、ディスクを販売供給する点から見ると特段問題ないように思われるが、ユーザーがディスクに情報を記録した後のことを考えると、問題が多い。
【００３８】
具体的には、１０ｍｍケースには、背表紙が設けられており、その背表紙にタイトルを記載することができるが、タイトルを記載するためにケースから背表紙を取り外す手間がかかり、利用しづらい。４ｍｍまたは５ｍｍのスリムなケースには、省スペースの効果があるが、背表紙が設けられておらず、そのため、そのままでは、背表紙にタイトルを記載することができない。不織布スリーブには、最も大きい省スペースの効果があるが、薄すぎるために背表紙を設けることができない。見出しタグ付きの不織布スリーブも存在するが、利用しづらい。また、スピンドル（バルク）ケースの場合には、ディスクに情報を記録した後に、保管ケースを別途調達する必要が生じてしまう。
【００３９】
つまり、背表紙タイトルが設けられていないディスク収納ケースの場合には、ディスクが整列保管された時に、必要とするディスクを即座に抽出することが困難である。
【００４０】
ディスクに情報が記録された後には、通常、ディスクレーベル面にタイトルが記載される。ディスクが収納ケースに収納された状態で、ディスクレーベル面に記載されたタイトルを簡単に直視できるようになれば、ディスクの検索性、作業効率が大幅に向上すると考えられる。（仮に、背表紙、タグ等が設けられていたとしても、タイトルは二度書きとなり、面倒で利用しづらい。）
【００４１】
レーベル面タイトルを直視できる収納ケースとして、不織布スリーブを配備したブック型ディスク収納ケースが市販されている。ブック型ディスク収納ケースの利便性を知っているユーザーは、スピンドル（バルク）ケースとブック型ディスク収納ケースとを別個に購入し、スピンドル（バルク）ケースに収納されていたディスクをブック型ディスク収納ケースに収納して保管している。トータルの費用はかかるが、このようにブック型ディスク収納ケースを利用している利用者は数多い。一方で、このブック型ディスク収納ケースは、光記録ディスクを販売するための収納ケースとしては、価格／生産性の面で不都合であり、販売用の収納ケースとして利用できない。
【００４２】
以上の点を鑑みると、ディスクレーベル面のタイトルを直視できる状態で、ジュエルケース等のディスク収納ケースに収納されたディスクをジュエルケースごと収納することができ、しかも、整理保管用として活用することができ、また、出荷梱包用として活用することができる安価な収納ケースが望まれていると言える。
【００４３】
図１は第１の実施形態の収納ケースを示した図である。詳細には、図１（Ａ）は第１の実施形態の収納ケースの平面図、図１（Ｂ）は第１の実施形態の収納ケースの正面図、図１（Ｃ）は第１の実施形態の収納ケースの右側面図である。図１において、１は例えば光情報記録媒体を収納したジュエルケースを複数立てて並べた状態で収納することができる収納ケース本体を示しており、４０は収納ケース本体１を持ち運ぶための帯状ハンドルを示している。ハンドル４０としては、例えばシート状に形成された樹脂が用いられる。
【００４４】
図２は図１に示した収納ケース本体１の展開図、図３は図１に示した収納ケース本体１の断面図、図４は図１に示した収納ケース本体１の断面図である。図５は図３に示した固定部材５０の部品図、図６は図１に示した収納ケース本体１の断面図、図７は図１に示した収納ケース本体１の断面図である。詳細には、図３（Ａ）は図１（Ａ）のＡ−Ａ線に沿った断面図、図３（Ｂ）は図１（Ａ）のＢ−Ｂ線に沿った断面図、図４は図１（Ｂ）のＣ−Ｃ線に沿った断面図である。図５（Ａ）は固定部材５０の平面図、図５（Ｂ）は固定部材５０の正面図である。図６（Ａ）は図１（Ａ）のＤ−Ｄ線に沿った断面図、図６（Ｂ）は収納ケース本体１の底面２と前側面３との境界線１５を中心に前側面３が外側に所定角度回動せしめられ、収納ケース本体１の底面２と後側面４との境界線２６を中心に後側面４が外側に所定角度回動せしめられた状態を示した図６（Ａ）と同様の断面図である。図７（Ａ）は図１（Ａ）のＥ−Ｅ線に沿った断面図である。図７（Ｂ）は収納ケース本体１の底面２と前側面３との境界線１５を中心に前側面３が外側に所定角度回動せしめられ、収納ケース本体１の底面２と後側面４との境界線２６を中心に後側面４が外側に所定角度回動せしめられた状態を示した図７（Ａ）と同様の断面図である。
【００４５】
第１の実施形態の収納ケースでは、図２に示すような１枚のシート材を折り曲げることによって収納ケース本体１の底面２と、前側面３と、後側面４と、左側面５と、右側面６とが形成されている。シート材としては、例えば段ボールのような厚紙が用いられる。
【００４６】
また、第１の実施形態の収納ケースでは、図２および図４に示すように、前側面３の左側に延びている前側面左側部分７が、折り曲げられて左側面５の内側に配置されている。更に、前側面３の右側に延びている前側面右側部分８が、折り曲げられて右側面６の内側に配置されている。また、図２および図３（Ａ）に示すように、左側面５の上側に延びている左側面上側部分９が、左側面５の内側に折り曲げられて前側面左側部分７を狭持している。更に、右側面６の上側に延びている右側面上側部分１０が、右側面６の内側に折り曲げられて前側面右側部分８を狭持している。
【００４７】
更に、第１の実施形態の収納ケースでは、図２および図６に示すように、左側面５と左側面上側部分９との境界部分１１に第１孔１２が形成され、図２および図７に示すように、右側面６と右側面上側部分１０との境界部分１３に第２孔１４が形成されている。
【００４８】
また、第１の実施形態の収納ケースでは、図２および図６に示すように、底面２と前側面３との境界線１５を中心に前側面３が外側に所定角度回動せしめられると（図６（Ａ）→図６（Ｂ））、前側面左側部分７に形成されている第１突起１６が、第１孔１２の端部１２ａと係合せしめられる。更に、図２および図７に示すように、底面２と前側面３との境界線１５を中心に前側面３が外側に所定角度回動せしめられると（図７（Ａ）→図７（Ｂ））、前側面右側部分８に形成されている第２突起１８が、第２孔１４の端部１４ａと係合せしめられる。
【００４９】
更に、第１の実施形態の収納ケースでは、図２〜図４に示すように、左側面上側部分９の自由端９ａおよび右側面上側部分１０の自由端１０ａを押さえつけるための固定部材５０が収納ケース本体１とは別個に設けられている。詳細には、図３に示すように、固定部材５０の幅寸法が底面２の幅寸法より小さく設定されている。
【００５０】
また、第１の実施形態の収納ケースでは、図２、図３（Ｂ）および図４に示すように、後側面４の左側に延びている後側面左側部分２０が、折り曲げられて左側面５の内側に配置されている。更に、後側面４の右側に延びている後側面右側部分２１が、折り曲げられて右側面６の内側に配置されている。また、図２および図３（Ｂ）に示すように、左側面５の上側に延びている左側面上側部分９が、左側面５の内側に折り曲げられて後側面左側部分２０を狭持している。更に、右側面６の上側に延びている右側面上側部分１０が、右側面６の内側に折り曲げられて後側面右側部分２１を狭持している。
【００５１】
更に、第１の実施形態の収納ケースでは、図２および図６に示すように、左側面５と左側面上側部分９との境界部分１１に第３孔２３が形成され、図２および図７に示すように、右側面６と右側面上側部分１０との境界部分１３に第４孔２５が形成されている。
【００５２】
また、第１の実施形態の収納ケースでは、図２および図６に示すように、底面２と後側面４との境界線２６を中心に後側面４が外側に所定角度回動せしめられると（図６（Ａ）→図６（Ｂ））、後側面左側部分２０に形成されている第３突起２７が、第３孔２３の端部２３ａと係合せしめられる。更に、図２および図７に示すように、底面２と後側面４との境界線２６を中心に後側面４が外側に所定角度回動せしめられると（図７（Ａ）→図７（Ｂ））、後側面右側部分２１に形成されている第４突起２８が、第４孔２５の端部２５ａと係合せしめられる。
【００５３】
更に、第１の実施形態の収納ケースでは、図２および図６（Ａ）に示すように、前側面左側部分７のうち、ハンドル取り付け穴３０に隣接する部分に第１切り欠き部３４が形成され、後側面左側部分２０のうち、ハンドル取り付け穴３０に隣接する部分に第３切り欠き部３６が形成されている。また、図２および図７（Ａ）に示すように、前側面右側部分８のうち、ハンドル取り付け穴３１に隣接する部分に第２切り欠き部３５が形成され、後側面右側部分２１のうち、ハンドル取り付け穴３１に隣接する部分に第４切り欠き部３７が形成されている。
【００５４】
また、第１の実施形態の収納ケースでは、図２および図６に示すように、収納ケース本体１に対してハンドル４０を取り付けるために、略円形状のハンドル取り付け穴３０、および、その縁部からハンドル取り付け穴３０の径方向に延びているハンドル着脱孔３２が、収納ケース本体１の左側面５に形成されている。更に、図２および図７に示すように、収納ケース本体１に対してハンドル４０を取り付けるために、略円形状のハンドル取り付け穴３１、および、その縁部からハンドル取り付け穴３１の径方向に延びているハンドル着脱孔３３が、収納ケース本体１の右側面６に形成されている。
【００５５】
図２および図３において、３８は蓋として機能する上面を示しており、３９は上面３８を固定するための止めしろを示している。第１の実施形態の収納ケースでは、図２に示すように蓋としての上面３８が収納ケース本体１と一体的に形成されているが、第２の実施形態の収納ケースでは、代わりに、収納ケース本体とは別部材として蓋を形成することも可能である。また、第３の実施形態の収納ケースでは、例えばラッピングフィルムによる保持力が十分に確保されている場合に、上面３８および止めしろ３９を省略することも可能である。
【００５６】
図８は図１に示したハンドル４０の展開図である。図８において、４１はハンドル４０の一方の端部を示しており、４２はハンドル４０の他方の端部を示しており、４９はハンドル４０の中央部を示している。４３はハンドル４０の端部４１が収納ケース本体１に取り付けられた時にハンドル取り付け穴３０の外側に露出せしめられる帯状部を示しており、４４はハンドル４０の端部４２が収納ケース本体１に取り付けられた時にハンドル取り付け穴３１の外側に露出せしめられる帯状部を示している。４５ａ，４５ｂはハンドル４０の端部４１が収納ケース本体１に取り付けられた時にハンドル取り付け穴３０の内側に残されてハンドル取り付け穴３０の縁部と係合するフック部を示しており、４６ａ，４６ｂはハンドル４０の端部４２が収納ケース本体１に取り付けられた時にハンドル取り付け穴３１の内側に残されてハンドル取り付け穴３１の縁部と係合するフック部を示している。
【００５７】
図９はハンドル取り付け穴、ハンドル着脱孔およびハンドルの端部の拡大図である。詳細には、図９（Ａ）は収納ケース本体１の左側面５に形成されたハンドル取り付け穴３０およびハンドル着脱孔３２とハンドル４０の端部４１とを拡大して示した拡大図、図９（Ｂ）は収納ケース本体１の右側面６に形成されたハンドル取り付け穴３１およびハンドル着脱孔３３とハンドル４０の端部４２とを拡大して示した拡大図である。
【００５８】
第１の実施形態の収納ケースでは、図９（Ａ）に示すように、収納ケース本体１の左側面５のハンドル着脱孔３２の長さＬとハンドル取り付け穴３０の直径Ｄとの合計寸法（Ｌ＋Ｄ）が、ハンドル４０の端部４１の帯状部４３の幅Ｗ１とフック部４５ａの幅Ｗ２とフック部４５ｂの幅Ｗ２’との合計寸法（Ｗ１＋Ｗ２＋Ｗ２’）よりも大きく設定されている。また、収納ケース本体１の左側面５のハンドル取り付け穴３０の直径Ｄが、ハンドル４０の端部４１の帯状部４３の幅Ｗ１よりも大きく設定されている。更に、図９（Ｂ）に示すように、収納ケース本体１の右側面６のハンドル着脱孔３３の長さＬとハンドル取り付け穴３１の直径Ｄとの合計寸法（Ｌ＋Ｄ）が、ハンドル４０の端部４２の帯状部４４の幅Ｗ１とフック部４６ａの幅Ｗ２とフック部４６ｂの幅Ｗ２’との合計寸法（Ｗ１＋Ｗ２＋Ｗ２’）よりも大きく設定されている。また、収納ケース本体１の右側面６のハンドル取り付け穴３１の直径Ｄが、ハンドル４０の端部４２の帯状部４４の幅Ｗ１よりも大きく設定されている。第１の実施形態では、上述したような関係になるように幅寸法が設定されているが、第１の実施形態の変形例では、上述したような関係とは異なる関係になるように幅寸法を適宜設定することも可能である。
【００５９】
また、第１の実施形態の収納ケースでは、図９（Ａ）に示すように、ハンドル４０の端部４１が略円形状に形成されており、図９（Ｂ）に示すように、ハンドル４０の端部４２が略円形状に形成されている。
【００６０】
図１０は収納ケース本体１に対するハンドル４０の端部４１の着脱方法を示した図である。第１の実施形態の収納ケースでは、収納ケース本体１に対してハンドル４０の端部４１が取り付けられる時に、まず、ハンドル４０の端部４１の帯状部４３およびフック部４５ａ，４５ｂが、ハンドル取り付け穴３０およびハンドル取り付け穴３０の縁部から延びているハンドル着脱孔３２を通される（図１０（Ａ）→図１０（Ｂ））。図９（Ａ）に示したように、ハンドル着脱孔３２の長さＬとハンドル取り付け穴３０の直径Ｄとの合計寸法（Ｌ＋Ｄ）が、ハンドル４０の端部４１の帯状部４３の幅Ｗ１とフック部４５ａの幅Ｗ２とフック部４５ｂの幅Ｗ２’との合計寸法（Ｗ１＋Ｗ２＋Ｗ２’）よりも大きくされているため、ハンドル４０の端部４１の帯状部４３およびフック部４５ａ，４５ｂは、折り曲げられる必要なく、ハンドル取り付け穴３０およびハンドル着脱孔３２を通過することができる。詳細には、図１０（Ｂ）に示すように、ハンドル４０の端部４１のフック部４５ａ，４５ｂが完全にハンドル取り付け穴３０およびハンドル着脱孔３２の内側に位置するまで、ハンドル４０の端部４１がハンドル取り付け穴３０およびハンドル着脱孔３２内に奥深く挿入される。
【００６１】
次いで、ハンドル４０の端部４１の帯状部４３がハンドル取り付け穴３０の縁部内に位置するようにハンドル４０の端部４１がハンドル着脱孔３２の長手方向（図１０の上向き）にスライドせしめられる（図１０（Ｂ）→図１０（Ｃ））。次いで、ハンドル４０の端部４１の帯状部４３の幅方向がハンドル着脱孔３２の長手方向（図１０の上下方向）に対してほぼ垂直になるようにハンドル４０の向きが変えられる（図１０（Ｃ）→図１０（Ｄ））。次いで、ハンドル４０の端部４１のフック部４５ａ，４５ｂがハンドル取り付け穴３０の縁部と係合するまで、ハンドル４０の他方の端部４２側（図１０の上側）にハンドル４０が引張られる（図１０（Ｄ）→図１０（Ｅ））。図１０（Ｅ）に示すように、ハンドル４０の端部４１のフック部４５ａ，４５ｂがハンドル取り付け穴３０の縁部と係合すると、ハンドル４０の一方の端部４１の取り付けが完了する。
【００６２】
次いで、図１０に示した方法と同様の方法により、ハンドル４０の他方の端部４２の取り付けが行われる。ハンドル４０の他方の端部４２の取り付けが完了すると、図１に示した状態になり、収納ケース本体１がハンドル４０によって持ち運び可能になる。
【００６３】
一方、収納ケース本体１からハンドル４０が取り外される時には、まず、ハンドル４０の端部４１のフック部４５ａ，４５ｂとハンドル取り付け穴３０の縁部との係合が解除されるまで、ハンドル４０の端部４１がハンドル取り付け穴３０内に奥深く挿入される（図１０（Ｅ）→図１０（Ｄ））。次いで、ハンドル４０の端部４１の帯状部４３の幅方向がハンドル着脱孔３２の長手方向（図１０の上下方向）に一致するようにハンドル４０の向きが変えられる（図１０（Ｄ）→図１０（Ｃ））。次いで、ハンドル４０の端部４１の帯状部４３がハンドル取り付け穴３０およびハンドル着脱孔３２のほぼ中央に位置するようにハンドル４０の端部４１がハンドル着脱孔３２の長手方向（図１０の下向き）にスライドせしめられる（図１０（Ｃ）→図１０（Ｂ））。
【００６４】
図９（Ａ）に示したように、ハンドル着脱孔３２の長さＬとハンドル取り付け穴３０の直径Ｄとの合計寸法（Ｌ＋Ｄ）が、ハンドル４０の端部４１の帯状部４３の幅Ｗ１とフック部４５ａの幅Ｗ２とフック部４５ｂの幅Ｗ２’との合計寸法（Ｗ１＋Ｗ２＋Ｗ２’）よりも大きくされているため、図１０（Ｂ）に示したように、ハンドル４０の端部４１の帯状部４３がハンドル取り付け穴３０およびハンドル着脱孔３２のほぼ中央に位置するようにハンドル４０の端部４１がハンドル着脱孔３２の長手方向にスライドせしめられることにより、ハンドル４０の端部４１の帯状部４３およびフック部４５ａ，４５ｂは、ハンドル取り付け穴３０およびハンドル着脱孔３２を通過できる位置に位置している。
【００６５】
次いで、ハンドル４０の他方の端部４２側（図１０の右側）にハンドル４０が引張られると、ハンドル４０の端部４１の帯状部４３およびフック部４５ａ，４５ｂがハンドル取り付け穴３０およびハンドル着脱孔３２を通過して引張り出され、ハンドル４０の一方の端部４１の取り外しが完了する（図１０（Ｂ）→図１０（Ａ））。
【００６６】
次いで、図１０に示した方法と同様の方法により、ハンドル４０の他方の端部４２の取り外しが行われる。ハンドル４０の他方の端部４２の取り外しが完了すると、収納ケース本体１とハンドル４０とが完全に分離された状態になる。
【００６７】
図１０に示したように、第１の実施形態の収納ケースでは、ハンドル４０の端部４１，４２を折り曲げる必要なく、ハンドル４０の端部４１，４２をハンドル取り付け穴３０，３１に取り付けることができる。更に、極めて簡単な方法により、ハンドル取り付け穴３０，３１からハンドル４０の端部４１，４２を取り外すことができる。すなわち、収納ケース本体１に対してハンドル４０を容易に着脱することができる。
【００６８】
更に、第１の実施形態の収納ケースでは、図９（Ａ）に示したように、ハンドル４０の端部４１が略円形状に形成されており、図９（Ｂ）に示したように、ハンドル４０の端部４２が略円形状に形成されている。そのため、ハンドル４０の端部４１，４２が収納ケース本体１に取り付けられる時のハンドル４０の端部４１，４２の引っ掛かりを低減しつつ、ハンドル４０の端部４１，４２が収納ケース本体１から取り外される時のハンドル４０の端部４１，４２の引っ掛かりを低減することができる。
【００６９】
また、第１の実施形態の収納ケースでは、図３に示したように、固定部材５０の幅寸法が底面２の幅寸法より若干小さく設定されている。詳細には、左側面上側部分９、前側面左側部分７または後側面左側部分２０、右側面上側部分１０、および、前側面右側部分８または後側面右側部分２１の厚さ分だけ固定部材５０の幅寸法が底面２の幅寸法より小さく設定されている。そのため、前側面３および後側面４が外側に回動しづらくなってしまうおそれを低減することができる。尚、前側面３および後側面４の回動抵抗を小さくすることが要求される場合には、固定部材５０の幅寸法が比較的小さく設定され、左側面５と左側面上側部分９との隙間が比較的大きく設定され、右側面６と右側面上側部分１０との隙間が比較的大きく設定される。一方、前側面３および後側面４の回動抵抗を大きくすることが要求される場合には、固定部材５０の幅寸法が比較的大きく設定され、左側面５と左側面上側部分９との隙間が比較的小さく設定され、右側面６と右側面上側部分１０との隙間が比較的小さく設定される。上述したように、第１の実施形態の収納ケースでは、回動部材５０が設けられているが、第４の実施形態の収納ケースでは、前側面３および後側面４の回動抵抗が左側面上側部分９および右側面上側部分１０によって十分に確保されている場合に、回動部材５０を省略することも可能である。
【００７０】
更に、第１の実施形態の収納ケースでは、図６（Ａ）に示したように、前側面左側部分７のうち、左側面５のハンドル取り付け穴３０に隣接する部分に第１切り欠き部３４が形成され、後側面左側部分２０のうち、左側面５のハンドル取り付け穴３０に隣接する部分に第３切り欠き部３６が形成されている。そのため、左側面５のハンドル取り付け穴３０に対してハンドル４０の端部４１が着脱される時に前側面左側部分７および後側面左側部分２０がハンドル４０の端部４１と干渉してしまうのを回避することができる。
【００７１】
また、第１の実施形態の収納ケースでは、図７（Ａ）に示したように、前側面右側部分８のうち、右側面６のハンドル取り付け穴３１に隣接する部分に第２切り欠き部３５が形成され、後側面右側部分２１のうち、右側面６のハンドル取り付け穴３１に隣接する部分に第４切り欠き部３７が形成されている。そのため、右側面６のハンドル取り付け穴３１に対してハンドル４０の端部４２が着脱される時に前側面右側部分８および後側面右側部分２１がハンドル４０の端部４２と干渉してしまうのを回避することができる。
【００７２】
上述したように、第１の実施形態の収納ケースは、光記録ディスクの収納に活用されるため、収納ケース本体１をそのまま検索機能付きファイリングケースとして活用可能であり、分類／整理保管のための用具を別途調達する必要性を排除することができ、経済的な効果を得ることができる。
【００７３】
また、第１の実施形態の収納ケースは、図６および図７に示したように、例えば２６°の角度でＶ字開口させることができるため、収納ケース本体１内に収納されたディスク収納ケースの透明蓋を通してディスクレーベル面に記載されているタイトルを直視することができ、いわゆる「めくり検索」によって必要なディスクを容易に探し出すことができる。つまり、見出しを作成するための面倒なタイトルの二度書きが不要になる。
【００７４】
更に、第１の実施形態の収納ケースでは、収納ケース本体１の組立に接着剤が不要であり、収納ケース本体１を容易に組み立てることができ、収納ケース全体のコストを抑制することができる。また、収納ケース本体１の組立に接着剤が不要であるため、エコロジー問題に対応することができる。
【００７５】
また、第１の実施形態の収納ケースでは、ベアー仕様の光ディスク収納ケースすべてに展開可能であり、梱包箱／マスターカートンの標準化を図ることができる。（１０ｍｍ、８ｍｍ、５ｍｍ、４ｍｍ厚ケース、不織布スリーブ対応）
【００７６】
更に、第１の実施形態の収納ケースは、特に光情報記録媒体（各種ディスク）の収納に適しており、例えばＲＯＭディスク（音楽、映像、ゲーム、ＰＣソフト）などのような各種ディスクのファイリングケースとして活用可能であり、あるいは、ＲＡＭディスク（ＣＤ−Ｒ／ＲＷ、ＤＶＤ±Ｒ／ＲＷ等）との混載も可能であり、利用度を増大させることができる。（ＲＯＭディスクはブックレットでディスクレーベル面を直視できないが、ブックレットにタイトル等が印刷されており、これを直視できるため問題ない。）
【００７７】
また、第１の実施形態の収納ケースには、ハンドル４０が設けられているため、例えば棚、机、床、部屋の間の収納ケース本体１の持ち運びを容易にすることができる。（ＤＶＤの場合には、ＴＶ台内にレコーダーが置かれている場合が一般的であるが、ディスクセッティングは床作業となるため、ハンドル４０は有効となる。）
【００７８】
更に、第１の実施形態の収納ケースでは、包装箱としての収納ケース本体１がファイリングケースとして長期間使用可能であるため、包装箱表面に宣伝の印刷をしないか、あるいは、宣伝の印刷を最小限にし、代わりに、手書き、好みの写真／シール貼り等でユーザーオリジナルのファイリングケースに仕立て、楽しめる構成とすることができる。
【００７９】
また、第１の実施形態の収納ケースでは、プラスチック素材の使用量および梱包廃棄物が非常に少なくなるため、地球環境に非常に優しい。
【００８０】
以下、本考案の第５の実施形態の収納ケースについて説明する。第５の実施形態の収納ケースは、後述する点を除き、上述した第１の実施形態の収納ケースと同様に構成されている。そのため、後述する点を除き、上述した第１の実施形態の収納ケースと同様の効果を奏することができる。
【００８１】
図１１は第５の実施形態の収納ケースの固定部材６０を示した図である。詳細には、図１１（Ａ）は第５の実施形態の収納ケースの固定部材６０の平面図、図１１（Ｂ）は第５の実施形態の収納ケースの固定部材６０の正面図、図１１（Ｃ）は第５の実施形態の収納ケースの固定部材６０の右側面図である。図１１において、破線は収納ケース本体１の輪郭を示している。第１の実施形態の収納ケースでは、図５に示したように、固定部材５０が平面的に構成されているが、第５の実施形態の収納ケースでは、図１１に示すように、固定部材６０が１枚のシート材を折り曲げることによって立体的に構成されている。詳細には、固定部材６０の左側面６２および右側面６３が底面６１から下方に延びており、前側面６４および後側面６５が底面６１から上方に延びている。
【００８２】
つまり、第６の実施形態の収納ケースでは、図１１に示すように、左側面上側部分９の自由端９ａおよび右側面上側部分１０の自由端１０ａを押さえつけるための固定部材６０が、１枚のシート材を折り曲げることによって構成され、その固定部材６０に、底面６１と、底面６１から下方に延びている左側面６２および右側面６３と、底面６１から上方に延びている前側面６４および後側面６５とが設けられている。そのため、第１の実施形態の収納ケースと同様に収納ケース本体１の前側面３および後側面４の回動抵抗が小さくなりすぎたり、あるいは、回動抵抗が大きくなりすぎたりするおそれを低減しつつ、例えば高さ寸法の小さい内容物を底上げして収納ケース本体１内に収納することができる。
【図面の簡単な説明】
【００８３】
【図１】第１の実施形態の収納ケースを示した図である。
【図２】図１に示した収納ケース本体１の展開図である。
【図３】図１に示した収納ケース本体１の断面図である。
【図４】図１に示した収納ケース本体１の断面図である。
【図５】図３に示した固定部材５０の部品図である。
【図６】図１に示した収納ケース本体１の断面図である。
【図７】図１に示した収納ケース本体１の断面図である。
【図８】図１に示したハンドル４０の展開図である。
【図９】ハンドル取り付け穴、ハンドル着脱孔およびハンドルの端部の拡大図である。
【図１０】収納ケース本体１に対するハンドル４０の端部４１の着脱方法を示した図である。
【図１１】第５の実施形態の収納ケースの固定部材６０を示した図である。
【符号の説明】
【００８４】
１              収納ケース本体
２              底面
３              前側面
４              後側面
５              左側面
６              右側面
７              前側面左側部分
８              前側面右側部分
９              左側面上側部分
９ａ            自由端
１０            右側面上側部分
１０ａ          自由端
１１            境界部分
１２            第１孔
１２ａ          端部
１３            境界部分
１４            第２孔
１４ａ          端部
１５            境界線
１６            第１突起
１８            第２突起
２０            後側面左側部分
２１            後側面右側部分
２３            第３孔
２３ａ          端部
２５            第４孔
２５ａ          端部
２６            境界線
２７            第３突起
２８            第４突起
３０            ハンドル取り付け穴
３１            ハンドル取り付け穴
３２            ハンドル着脱孔
３３            ハンドル着脱孔
３４            第１切り欠き部
３５            第２切り欠き部
３６            第３切り欠き部
３７            第４切り欠き部
３８            上面
３９            止めしろ
４０            ハンドル
４１            端部
４２            端部
４３            帯状部
４４            帯状部
４５ａ，４５ｂ  フック部
４６ａ，４６ｂ  フック部
４９            中央部
５０            固定部材
【図１】
0003112139.tif 000003
【図２】
0003112139.tif 000004
【図３】
0003112139.tif 000005
【図４】
0003112139.tif 000006
【図５】
0003112139.tif 000007
【図６】
0003112139.tif 000008
【図７】
0003112139.tif 000009
【図８】
0003112139.tif 000010
【図９】
0003112139.tif 000011
【図１０】
0003112139.tif 000012
【図１１】
0003112139.tif 000013